(57)【要約】    【課題】  一つの操作部に対し操作することによって、搾液ローラによる搾液対象物の挟圧及び搾液ローラの回転駆動による搾液対象物の搾液を実現し得る。    【解決手段】  固定搾液ローラＲｆ両端の爪車Ｒｈに噛合する固定ローラ駆動爪Ｃｄが連結された固定ローラ駆動リンクＬｄを、ペダル支持部材Ｓｄに連結する。ペダル支持部材Ｓｄの揺動軸部後方に押上部Ｓｄ１を設ける。第１押上リンクＬｐ１を、ペダル支持部材Ｓｄに連動しないよう連結し、第２押上リンクＬｐ２を連結する。第２押上リンクＬｐ２先端部に、移動ローラ保持リンクＬｈ・間隙調整リンクＬｇを、屈曲点Ｂｐで回動可能に連結する。移動搾液ローラＲｍの移動ローラ支持軸Ｓｒは、支点支持スリットＳｓを通じ突出し、移動ローラ保持リンクＬｈ先端部に連結する。屈曲点Ｂｐが十分押し上げられると、間隙調整リンクＬｇ・移動ローラ保持リンクＬｈの基端部がストッパＳｐを上向きに押圧する。【選択図】      図１
2005176979.tif 000002
【特許請求の範囲】
【請求項１】
固定搾液ローラ、
その固定搾液ローラに対し平行状をなし、その固定搾液ローラに対し離隔した離隔位置と近接した搾液位置の間を移動し得る移動搾液ローラ、
Ａ位置とＢ位置の間で揺動可能な操作部、
その操作部のＡ位置からＢ位置に向かう回動により前記移動搾液ローラを前記離隔位置から搾液位置に移動させる移動機構、
搾液位置における移動搾液ローラが固定搾液ローラから離隔することを防ぐ、保持解除可能な搾液位置保持機構、及び
前記操作部の少なくとも一方向の回動により前記固定搾液ローラ又は移動搾液ローラを一方向に回転駆動する伝動機構を備えることを特徴とする搾液装置。
【請求項２】
上記伝動機構は、操作部の一方向の回動による力を、固定搾液ローラ又は移動搾液ローラに伝達してそれを一方向に回転駆動し、操作部の他方向の回動においては固定搾液ローラ及び移動搾液ローラに伝達せずそれらを回転駆動しないものである請求項１記載の搾液装置。
【請求項３】
上記移動機構は、
離隔位置に位置する移動搾液ローラを、操作部のＡ位置からＢ位置に向かう回動に従動して搾液位置に移動させ、
固定搾液ローラから離隔することを防ぐ搾液位置保持機構により固定搾液ローラから離隔することを防がれている搾液位置の移動搾液ローラを、操作部のＢ位置からＡ位置に向かう回動に従動して離隔位置側へ移動させないものである請求項１又は２記載の搾液装置。
【請求項４】
上記移動機構は、操作部と一体的に揺動する伝達部と、移動搾液ローラに連結した移動ローラ連結部を備え、
操作部がＡ位置からＢ位置に向かう回動においては前記伝達部が移動ローラ連結部に移動力を伝達して離隔位置に位置する移動搾液ローラを搾液位置に移動させ、操作部がＢ位置からＡ位置に向かう回動においては伝達部は移動ローラ連結部に移動力を伝達しない請求項３記載の搾液装置。
【請求項５】
上記伝動機構は、操作部のＡ位置からＢ位置に向かう回動による力を、固定搾液ローラ又は移動搾液ローラに伝達してそれを一方向に回転駆動し、操作部の他方向の回動においては固定搾液ローラ及び移動搾液ローラに伝達せずそれらを回転駆動しないものであり、
Ａ位置からＢ位置に向かって回動操作された操作部をＡ位置に向かって復元させる復元力付与機構を備えた請求項３又は４記載の搾液装置。
【請求項６】
Ａ位置が上方位置、Ｂ位置が下方位置であり、操作部の押下により操作部がＡ位置からＢ位置に向かって回動するものである請求項５記載の搾液装置。
【請求項７】
一方側に移動搾液ローラを回動自在に保持し、中立状態から第１の側へ所定屈曲範囲内で屈曲し得ると共にその逆側である第２の側へ前記所定屈曲範囲より大きく屈曲し得、且つ、屈曲可能な部分を挟んで他方側に第１支点を、一方側に第２支点を有する移動ローラ保持体を備え、
前記第１支点は、固定ローラから遠い側において所定位置に固定状態に又は所定範囲を移動可能に支持され、前記第２支点は、固定ローラに近い側において所定範囲を移動可能に支持されており、
操作部のＡ位置からＢ位置に向かう回動により、移動ローラ保持体が第１の側へ所定屈曲範囲内で屈曲し、移動ローラ保持体の一方側に支持された移動搾液ローラが離隔位置から搾液位置に移動し得、
移動搾液ローラが搾液位置に位置する場合において、第１支点と移動搾液ローラの間で移動ローラ保持体が圧縮力を受けてその反力により搾液対象物を移動搾液ローラと固定搾液ローラの間に挟圧している状態では、移動ローラ保持体が中立状態となることが防がれて第１の側への屈曲が維持され、操作部のＢ位置からＡ位置に向かう回動に搾液ローラが従動せず、
搾液対象物を移動搾液ローラと固定搾液ローラの間に実質上挟圧していない状態では、操作部がＢ位置にある状態において移動ローラ保持体が中立状態を経て第２の側へ前記所定屈曲範囲より大きく屈曲し、移動搾液ローラが離隔位置に復帰し得る請求項１記載の搾液装置。
【請求項８】
離隔位置の移動搾液ローラと固定搾液ローラの間に、搾液対象物を上方から挿入し得る間隙を有し、
伝動機構が、操作部の少なくとも一方向の回動により、固定搾液ローラ又は移動搾液ローラを、両ローラ間に挟圧された搾液対象物を上方に送るように一方向に回転駆動するものであり、
上記第１の側が上側、第２の側が下側であり、
搾液対象物を移動搾液ローラと固定搾液ローラの間に実質上挟圧せず操作部がＢ位置にある状態において、移動ローラ保持体を中立状態を経て第２の側へ前記所定屈曲範囲より大きく屈曲させて移動搾液ローラを離隔位置に復帰させるための復帰力付与機構を備えた請求項７記載の搾液装置。
【請求項９】
Ａ位置が上方位置、Ｂ位置が下方位置であり、操作部の押下により操作部がＡ位置からＢ位置に向かって回動するものであり、Ａ位置からＢ位置に向かって回動操作された操作部をＡ位置に向かって復元させる復元力付与機構を備えた請求項７又は８記載の搾液装置。
【請求項１０】
上方開口の液体容器を備え、その液体容器の上方開口部内又はその上方開口部の上方に固定搾液ローラと移動搾液ローラが位置し、移動搾液ローラが搾液位置に位置して可撓性の搾液対象物が固定搾液ローラと移動搾液ローラの間に挟圧されることにより搾液される液が前記液体容器内に流下する請求項１乃至９の何れかに記載の搾液装置。
【発明の詳細な説明】
【技術分野】
【０００１】
本発明は、モップ洗い用の貯水容器等に用いられる搾液装置に関するものである。
【背景技術】
【０００２】
実願昭６０−３７４３０号（特許文献１）には、「頂面を開放したほぼ立方体状の水槽の頂面において、固定のローラと、ローラ軸支え腕に軸支され、該支え腕の回動により前記固定のローラに圧接できるローラとを設け、これらローラのいずれか一方にローラ軸に固着したラチェットを爪送りできる伝動腕と、伝動引杆を介し両ローラの対向面においてローラが上方へ回転するように前記伝動腕を回動させる作動腕とを設けて構成したことを特徴とするモッブ絞り機」の発明が記載されている。
【０００３】
この発明においては、ローラ締付けペダル９ｐを踏み続けて両ローラ３・１１間にモップｍを挟圧した状態で、作動腕１２の端部に形成された作動ペダル１２ｐを繰返し踏み込むことにより駆動ローラ３を一方向に回転させてモップｍを絞ることができる。
【０００４】
また、同文献における第６図には、圧接ペダル２３ａを踏み込むことによりローラ軸両支え腕２３・２４を回動させ、誘導ローラ２６と駆動ローラ３との間にモップｍを挟んでスプリング２７の復元力により挟圧を維持させ、逆側の復帰ペダル２３ｆを踏むことによりローラ軸両支え腕２３・２４を逆に回動させてスプリング２７の復元力による挟圧を解除するモッブ絞り機が示されている。
【０００５】
前者の場合、ローラ締付けペダル９ｐを踏みつつ作動ペダル１２ｐを繰返し踏み込むことにより駆動ローラ３を一方向に回転させてモップｍを絞るものであり、後者の場合、圧接ペダル２３ａを踏み込めばスプリング２７の復元力によりモップｍの挟圧が維持されるので、作動ペダル１２ｐを繰返し踏み込むことにより駆動ローラ３を一方向に回転させてモップｍを絞ることができる。
【０００６】
後者の場合、圧接ペダル２３ａを踏み続ける必要はないが、圧接ペダル２３ａと作動ペダル１２ｐを別個に設けてそれぞれを踏むことが必要であるため、操作に煩雑な点があり、製造コスト増大の原因ともなっていた。
【特許文献１】実願昭６０−３７４３０号
【発明の開示】
【発明が解決しようとする課題】
【０００７】
本発明は、従来技術に存した上記のような問題点に鑑み行われたものであって、その目的とするところは、一つの操作部に対し操作することによって、搾液ローラによる搾液対象物の挟圧及び搾液ローラの回転駆動による搾液対象物の搾液を実現し得る搾液装置を提供することにある。
【課題を解決するための手段】
【０００８】
(1)  上記目的を達成する本発明の搾液装置は、
固定搾液ローラ、
その固定搾液ローラに対し平行状をなし、その固定搾液ローラに対し離隔した離隔位置と近接した搾液位置の間を移動し得る移動搾液ローラ、
Ａ位置とＢ位置の間で揺動可能な操作部、
その操作部のＡ位置からＢ位置に向かう回動により前記移動搾液ローラを前記離隔位置から搾液位置に移動させる移動機構、
搾液位置における移動搾液ローラが固定搾液ローラから離隔することを防ぐ、保持解除可能な搾液位置保持機構、及び
前記操作部の少なくとも一方向の回動により前記固定搾液ローラ又は移動搾液ローラを一方向に回転駆動する伝動機構を備えることを特徴とする。
【０００９】
移動搾液ローラが固定搾液ローラに対し離隔した離隔位置にある状態において、可撓性の搾液対象物を固定搾液ローラと移動搾液ローラの間に挿入した後、操作部をＡ位置からＢ位置に向かうよう回動させると、移動搾液ローラは移動機構により離隔位置から搾液位置に移動し、搾液位置保持機構により、搾液位置における移動搾液ローラが固定搾液ローラから離隔することが防がれる。そのため、移動搾液ローラと固定搾液ローラの間に搾液対象物が挟圧保持される。搾液後、搾液位置の保持を解除し得る。
【００１０】
このように搾液対象物が挟圧保持された状態でその操作部を揺動させると、伝動機構によって、操作部の少なくとも一方向の回動により固定搾液ローラ又は移動搾液ローラが一方向に回転駆動される。これにより、移動搾液ローラと固定搾液ローラにより挟圧した搾液対象物を一定方向に進めつつその搾液対象物の搾液を行うことができる。
【００１１】
(2)  また本発明の搾液装置は、上記伝動機構が、操作部の一方向の回動による力を、固定搾液ローラ又は移動搾液ローラに伝達してそれを一方向に回転駆動し、操作部の他方向の回動においては固定搾液ローラ及び移動搾液ローラに伝達せずそれらを回転駆動しないものとすることができる。
【００１２】
この伝動機構によれば、操作部の一方向の回動（例えばＡ位置からＢ位置に向かう回動）により、固定搾液ローラ又は移動搾液ローラを一定方向に回転駆動することができ、操作部の逆方向の回動（例えばＢ位置からＡ位置に向かう回動）によっては固定搾液ローラ及び移動搾液ローラを回転駆動しない。
【００１３】
(3)  また本発明の搾液装置は、上記移動機構が、
離隔位置に位置する移動搾液ローラが、操作部のＡ位置からＢ位置に向かう回動に従動して搾液位置に移動し、
固定搾液ローラから離隔することを防ぐ搾液位置保持機構により固定搾液ローラから離隔することを防がれている搾液位置の移動搾液ローラを、操作部のＢ位置からＡ位置に向かう回動に従動して離隔位置側へ移動しないものとすることができる。
【００１４】
この移動機構によれば、移動搾液ローラが離隔位置に位置する状態において可撓性の搾液対象物を固定搾液ローラと移動搾液ローラの間に挿入し、操作部をＡ位置からＢ位置に向かうよう回動させると、移動搾液ローラは移動機構により離隔位置から搾液位置に移動する。ところが、搾液位置保持機構により、搾液位置における移動搾液ローラが固定搾液ローラから離隔することが防がれている場合、その移動搾液ローラは、操作部のＢ位置からＡ位置に向かう回動に従動して離隔位置側へ移動しない。そのため、その後の操作部の揺動により、両ローラ間に搾液対象物を挟圧しつつ、何れかのローラを一定方向に回動させて搾液対象物の搾液を行うことができる。
【００１５】
(3-1)  この場合、上記移動機構は、操作部と一体的に揺動する伝達部と、移動搾液ローラに連結した移動ローラ連結部を備え、
操作部がＡ位置からＢ位置に向かう回動においては前記伝達部が移動ローラ連結部に移動力を伝達して離隔位置に位置する移動搾液ローラを搾液位置に移動させ、操作部がＢ位置からＡ位置に向かう回動においては伝達部は移動ローラ連結部に移動力を伝達しないものとすることができる。
【００１６】
(3-2)  またこの場合、伝動機構が、操作部のＡ位置からＢ位置に向かう回動による力を、固定搾液ローラ又は移動搾液ローラに伝達してそれを一方向に回転駆動し、操作部の他方向の回動においては固定搾液ローラ及び移動搾液ローラに伝達せずそれらを回転駆動しないものであり、
更に、Ａ位置からＢ位置に向かって回動操作された操作部をＡ位置に向かって復元させる復元力付与機構を備えたものとすることができる。
【００１７】
このような構成の場合、移動搾液ローラが離隔位置に位置する状態において可撓性の搾液対象物を固定搾液ローラと移動搾液ローラの間に挿入し、操作部をＡ位置からＢ位置に向かうよう回動させると、移動搾液ローラは移動機構により離隔位置から搾液位置に移動して両ローラ間に搾液対象物を挟圧する。Ｂ位置において操作部に対する回動力を解除すると、操作部は復元力付与機構によりＡ位置に復元する。
【００１８】
搾液位置保持機構により、搾液位置における移動搾液ローラが固定搾液ローラから離隔することが防がれている場合、その移動搾液ローラは、操作部のＢ位置からＡ位置に向かう回動に従動して離隔位置側へ移動しない。そのため、Ａ位置に復元した操作部をＡ位置からＢ位置に向かうよう回動させることにより、両ローラ間に搾液対象物を挟圧しつつ、何れかのローラを一定方向に回動させて搾液対象物の搾液を行うことができ、Ｂ位置において操作部に対する回動力を解除すると、操作部は復元力付与機構により再度Ａ位置に復元する。これを繰り返すことにより、両ローラ間に搾液対象物を挟圧しつつ、何れかのローラを一定方向に回動させて搾液対象物の搾液を行うことができる。
【００１９】
(3-2)  またこの場合、Ａ位置が上方位置、Ｂ位置が下方位置であり、操作部の押下により操作部がＡ位置からＢ位置に向かって回動するものとすることが好ましい。その場合、操作者が操作部をＡ位置からＢ位置に向かって回動させる際、操作部の押下により行うことができるため、回動力を加え易い。なお、操作部が、踏下によりＡ位置からＢ位置に向かって回動するペダル部であることがより好ましい。
【００２０】
(4)  更に、本発明の搾液装置は、
一方側に移動搾液ローラを回動自在に保持し、中立状態から第１の側へ所定屈曲範囲内で屈曲し得ると共にその逆側である第２の側へ前記所定屈曲範囲より大きく屈曲し得、且つ、屈曲可能な部分を挟んで他方側に第１支点を、一方側に第２支点を有する移動ローラ保持体を備え、
前記第１支点は、固定ローラから遠い側において所定位置に固定状態に又は所定範囲を移動可能に支持され、前記第２支点は、固定ローラに近い側において所定範囲を移動可能に支持されており、
操作部のＡ位置からＢ位置に向かう回動により、移動ローラ保持体が第１の側へ所定屈曲範囲内で屈曲し、移動ローラ保持体の一方側に支持された移動搾液ローラが離隔位置から搾液位置に移動し得、
移動搾液ローラが搾液位置に位置する場合において、第１支点と移動搾液ローラの間で移動ローラ保持体が圧縮力を受けてその反力により搾液対象物を移動搾液ローラと固定搾液ローラの間に挟圧している状態では、移動ローラ保持体が中立状態となることが防がれて第１の側への屈曲が維持され、操作部のＢ位置からＡ位置に向かう回動に搾液ローラが従動せず、
搾液対象物を移動搾液ローラと固定搾液ローラの間に実質上挟圧していない状態では、操作部がＢ位置にある状態において移動ローラ保持体が中立状態を経て第２の側へ前記所定屈曲範囲より大きく屈曲し、移動搾液ローラが離隔位置に復帰し得るものとすることができる。
【００２１】
この場合、移動搾液ローラが固定搾液ローラに対し離隔した離隔位置にある状態において、可撓性の搾液対象物を固定搾液ローラと移動搾液ローラの間に挿入した後、操作部をＡ位置からＢ位置に向かうよう回動させると、移動ローラ保持体が第１の側へ所定屈曲範囲内で屈曲し、移動ローラ保持体の一方側に支持された移動搾液ローラが離隔位置から搾液位置に移動する。
【００２２】
移動搾液ローラが搾液位置に位置する場合において、第１支点と移動搾液ローラの間で移動ローラ保持体が圧縮力を受けてその反力により搾液対象物を移動搾液ローラと固定搾液ローラの間に挟圧している状態では、移動ローラ保持体が中立状態となることが防がれて第１の側への屈曲が維持され、操作部のＢ位置からＡ位置に向かう回動に搾液ローラが従動しない。すなわち搾液ローラは離隔位置側へ移動しない。
【００２３】
搾液対象物が両ローラ間に挟圧保持された状態でその操作部を揺動させると、伝動機構によって、操作部の少なくとも一方向の回動により固定搾液ローラ又は移動搾液ローラが一方向に回転駆動される。これにより、移動搾液ローラと固定搾液ローラにより挟圧した搾液対象物を一定方向に進めつつその搾液対象物の搾液を行うことができる。
【００２４】
搾液後、搾液対象物が移動搾液ローラと固定搾液ローラの間に実質上挟圧されない状態（両ローラ間から離脱するか、或いは例えば両ローラ間で十分に薄くなった状態）になると、操作部がＢ位置にある状態において移動ローラ保持体が中立状態を経て第２の側へ前記所定屈曲範囲より大きく屈曲し、移動搾液ローラが離隔位置に復帰し得る。
【００２５】
(4-1)  この搾液装置は、離隔位置の移動搾液ローラと固定搾液ローラの間に、搾液対象物を上方から挿入し得る間隙を有し、
伝動機構が、操作部の少なくとも一方向の回動により、固定搾液ローラ又は移動搾液ローラを、両ローラ間に挟圧された搾液対象物を上方に送るように一方向に回転駆動するものであり、
上記第１の側が上側、第２の側が下側であり、
搾液対象物を移動搾液ローラと固定搾液ローラの間に実質上挟圧せず操作部がＢ位置にある状態において、移動ローラ保持体を中立状態を経て第２の側へ前記所定屈曲範囲より大きく屈曲させて移動搾液ローラを離隔位置に復帰させるための復帰力付与機構を備えたものとすることができる。
【００２６】
この場合、離隔位置の移動搾液ローラと固定搾液ローラの間に、搾液対象物を上方から挿入し、操作部をＡ位置からＢ位置に向かうよう回動させると、移動ローラ保持体が上側へ所定屈曲範囲内で屈曲し、移動ローラ保持体の一方側に支持された移動搾液ローラが離隔位置から搾液位置に移動する。
【００２７】
移動搾液ローラが搾液位置に位置する場合において、第１支点と移動搾液ローラの間で移動ローラ保持体が圧縮力を受けてその反力により搾液対象物を移動搾液ローラと固定搾液ローラの間に挟圧している状態では、移動ローラ保持体が中立状態となることが防がれて上側への屈曲が維持され、操作部のＢ位置からＡ位置に向かう回動に従動して離隔位置側へ移動しない。
【００２８】
搾液対象物が両ローラ間に挟圧保持された状態でその操作部を揺動させると、伝動機構によって、操作部の少なくとも一方向の回動により固定搾液ローラ又は移動搾液ローラが一方向に回転駆動される。これにより、移動搾液ローラと固定搾液ローラにより挟圧した搾液対象物を上方に送りつつその搾液対象物の搾液を行うことができ、やがて搾液対象物は移動搾液ローラと固定搾液ローラの間から上方へ離脱する。
【００２９】
搾液対象物の上方離脱により、移動搾液ローラと固定搾液ローラの間に搾液対象物を挟圧していない状態となるので、操作部がＢ位置にある状態において、移動ローラ保持体は、復帰力付与機構により、中立状態を経て下方へ大きく屈曲し、移動搾液ローラが離隔位置に復帰する。これにより次の搾液対象物の搾液作業に備えることができる。
【００３０】
(4-2)  またこの場合、Ａ位置が上方位置、Ｂ位置が下方位置であり、操作部の押下により操作部がＡ位置からＢ位置に向かって回動するものであり、Ａ位置からＢ位置に向かって回動操作された操作部をＡ位置に向かって復元させる復元力付与機構を備えたものとすることが好ましい。その場合、操作者が操作部をＡ位置からＢ位置に向かって回動させる際、操作部の押下により行うことができるため、回動力を加え易い。なお、操作部が、踏下によりＡ位置からＢ位置に向かって回動するペダル部であることがより好ましい。
【００３１】
(5)  次に、本発明の搾液装置は、上方開口の液体容器を備え、その液体容器の上方開口部内又はその上方開口部の上方に固定搾液ローラと移動搾液ローラが位置し、移動搾液ローラが搾液位置に位置して可撓性の搾液対象物が固定搾液ローラと移動搾液ローラの間に挟圧されることにより搾液される液が前記液体容器内に流下するものとすることが望ましい。
【００３２】
この搾液装置によれば、移動搾液ローラが離隔位置に位置する状態において、搾液対象物を固定搾液ローラと移動搾液ローラの間を下向きに通して液体容器内に挿入し、操作部を一方向に回動させれば、移動搾液ローラを離隔位置から搾液位置に移動させ、可撓性の搾液対象物を固定搾液ローラと移動搾液ローラの間に挟圧して搾液することができる。搾液される液は、液体容器内に流下して溜められる。
【００３３】
液体容器内に液体を溜めておけば、その液体に搾液対象物を浸して場合によっては搾液対象物を洗った後、搾液対象物から搾液することができる。勿論、液体を溜めずに、或は液体に浸さずに搾液することもできる。
【発明の効果】
【００３４】
本発明の搾液装置によれば、搾液対象物を固定搾液ローラと移動搾液ローラの間に挿入した後、操作部をＡ位置からＢ位置に向かうよう回動させると、移動搾液ローラは移動機構により離隔位置から搾液位置に移動し、搾液位置保持機構により、搾液位置における移動搾液ローラが固定搾液ローラから離隔することが防がれて両ローラ間に搾液対象物が挟圧保持される。この状態でその操作部を揺動させると、伝動機構によって、操作部の少なくとも一方向の回動により固定搾液ローラ又は移動搾液ローラが一方向に回転駆動され、移動搾液ローラと固定搾液ローラにより挟圧した搾液対象物を一定方向に進めつつその搾液対象物の搾液を行うことができる。
【発明を実施するための最良の形態】
【００３５】
(1) 本発明の実施の形態を、本発明の搾液装置の一例としてのモップ用搾水装置に関する図１乃至図８を参照しつつ説明する。
【００３６】
図１乃至図４は、使用前の状態を示すものであって、図１は斜視図、図２は作動機構についての斜視図、図３は平面図、図４は左側面図である。
【００３７】
図５及び図６は、固定ローラと移動ローラの間にモップを挿入してペダルを踏み下げることにより搾水を行う状態を示すものであって、図５は平面図、図６は左側面図である。
【００３８】
図７及び図８は、固定ローラと移動ローラの間にモップを挟圧した状態でペダルが上方に復帰した状態を示すものであって、図７は平面図、図８は左側面図である。
【００３９】
但し、図２においてはペダルにペダル板が装着されている。また図３乃至図８は、カバー体が省略されている。
【００４０】
(2) このモップ用搾水装置は、貯水容器Ｂｕ（液体容器の一例）、注水孔Ｗｉ及び開口部Ｃｖ１を備えたカバー体Ｃｖ、排水ホースＤｈ、把手Ｈｄ、上方突部Ｆｂ１を備えたベースフレームＦｂ、ペダル（操作部）Ｐｄ、押上部Ｓｄ１（伝達部）を備えたペダル支持部材Ｓｄ、ペダル復元ばねＢｓ、カム支持孔Ｈｃと支点支持スリットＳｓとストッパＳｐを備えたローラ支持枠Ｆｒ、移動搾液ローラＲｍ、移動ローラ支持軸Ｓｒ、移動ローラ保持リンクＬｈと間隙調整リンクＬｇからなる移動ローラ保持体、移動ローラ復帰ばねＲｓ、調整カム体Ｃａ、カム支持軸Ｓｃ、カム操作部Ｃｈ、カム保持ばねＰｕ、第１押上リンクＬｐ１、第２押上リンクＬｐ２、固定搾液ローラＲｆ、爪車Ｒｈ、固定ローラ駆動リンクＬｄ、固定ローラ駆動爪Ｃｄ、爪付勢ばねＰｓ、及び固定ローラ連繋リンクＬｃを備えてなる。
【００４１】
貯水容器Ｂｕ（液体容器の一例）は、上方開口の方形箱状をなし、ベースフレームＦｂ上に支持されている。貯水容器Ｂｕの下部後側に、使用済みの洗浄水等を排出するために貯水容器Ｂｕの内部と外部を連通する排水ホースＤｈを備える。
【００４２】
貯水容器Ｂｕの上部の左右側部には、それぞれ横長のローラ支持枠Ｆｒが固定されている。両ローラ支持枠Ｆｒの前端部同士の間には、固定搾液ローラＲｆの回動軸が回動自在に支持されており、その回動軸の両端、すなわち両ローラ支持枠Ｆｒの外側に、それぞれ爪車Ｒｈが固定されている。
【００４３】
折り返し部が前部（図１における右前側、図３及び図４における右側）に位置する略Ｕ字状（この形状に限るものではない。）をなすペダル支持部材Ｓｄの折り返し部にペダルＰｄ（操作部）が設けられ、ペダル支持部材Ｓｄの左右両側部における中間部が、それぞれベースフレームＦｂの左右側部における上方突部Ｆｂ１に揺動可能に支持されている。ペダル支持部材Ｓｄの両側部のうち揺動軸部よりも後方には、それぞれ押上部Ｓｄ１が設けられている。ペダル支持部材Ｓｄの左右側部前端部と貯水容器Ｂｕの前上部の間には、ペダル復元ばねＢｓが架設されており、ペダル支持部材Ｓｄに対し、その前部、すなわちペダルＰｄが、下方位置から上方位置に復元する復元力が付与される。
【００４４】
ペダル支持部材Ｓｄの両後端部にはそれぞれ固定ローラ駆動リンクＬｄの下端部が回動可能に連結され、固定ローラ駆動リンクＬｄの上端部と固定搾液ローラＲｆの回動軸は、固定ローラ連繋リンクＬｃにより連結されている。また、固定ローラ駆動リンクＬｄの上端部には、固定ローラ駆動爪Ｃｄが揺動可能に連結され、その固定ローラ駆動爪Ｃｄと固定搾液ローラＲｆの回動軸の間に架設された爪付勢ばねＰｓ（引張コイルバネ）により、固定ローラ駆動爪Ｃｄが爪車Ｒｈに噛合するよう付勢されている。爪車Ｒｈの爪の向きは、固定ローラ駆動爪Ｃｄが噛合して爪車Ｒｈが回動する場合に、その後側が上向きになるよう回動する向きである。
【００４５】
また、左右両側において、ペダル支持部材Ｓｄの揺動軸に対しては、第１押上リンクＬｐ１の基端部が、ペダル支持部材Ｓｄに連動しないように回動可能に連結され、第１押上リンクＬｐ１の先端部には、第２押上リンクＬｐ２の基端部が回動可能に連結され、更に、第２押上リンクＬｐ２の先端部には、移動ローラ保持リンクＬｈ及び間隙調整リンクＬｇの両基端部（屈曲点Ｂｐ）が回動可能に連結されている。左右の間隙調整リンクＬｇは先端部側において連結されている。移動ローラ保持リンクＬｈと間隙調整リンクＬｇの両基端部は、屈曲点Ｂｐにおいて回動可能に連結されている。移動ローラ保持リンクＬｈと間隙調整リンクＬｇは、移動ローラ保持体を構成する。また第１押上リンクＬｐ１、第２押上リンクＬｐ２、移動ローラ保持リンクＬｈ、及び間隙調整リンクＬｇは、移動ローラ連結部を構成する。
【００４６】
両ローラ支持枠Ｆｒの後端部には、それぞれ方形状のカム支持孔Ｈｃが設けられ、両ローラ支持枠Ｆｒの中間部には、前後方向の支点支持スリットＳｓが設けられ、両ローラ支持枠Ｆｒにおける支点支持スリットＳｓの上側（特に後半部上側）には、それぞれ外側方に張り出したストッパＳｐが設けられている。
【００４７】
両カム支持孔Ｈｃ内には、カム支持軸Ｓｃの両側部に固定された調整カム体Ｃａ（第１支点）が、前後及び上下に若干移動可能な状態でそれぞれ配装されている。調整カム体Ｃａは、カム支持軸Ｓｃの軸心からの離心距離の異なる複数種の外周面を備えており、左右の調整カム体Ｃａの外周面は一致している。カム支持軸Ｓｃの一端にはカム操作部Ｃｈが固定されている。また、カム支持軸Ｓｃと、貯水容器Ｂｕのうちカム支持軸Ｓｃの後方箇所の間には、調整カム体Ｃａの外周面をカム支持孔Ｈｃの後部側に押圧保持するためのカム保持ばねＰｕが架設されている。
【００４８】
移動搾液ローラＲｍの左右の移動ローラ支持軸Ｓｒ（第２支点）は、それぞれ両支点支持スリットＳｓを通じて内側から外向きに突出し、移動ローラ保持リンクＬｈの先端部に移動ローラ支持軸Ｓｒが回動可能に連結されており、これにより移動搾液ローラＲｍが、両支点支持スリットＳｓ間に、その支点支持スリットＳｓの前後端にわたり前後スライド可能なように支持されている。また、カム支持軸Ｓｃの両端部における両ローラ支持枠Ｆｒの外側には、間隙調整リンクＬｇの先端側部分が回動可能に連結されると共に、移動ローラ復帰ばねＲｓを構成するねじりコイルばねのコイル部分が、両カム支持軸Ｓｃに外嵌されている。移動ローラ復帰ばねＲｓは、一端が間隙調整リンクＬｇの先端（カム支持軸Ｓｃに連結した部分よりも更に先端側）に、他端が貯水容器Ｂｕに固定されることにより、間隙調整リンクＬｇに対し、カム支持軸Ｓｃのまわりに間隙調整リンクＬｇの基端側が下向きに回動するよう付勢し、移動搾液ローラＲｍが前方に移動した状態の場合にそれを後方に復帰させる復帰力を発生するものである。
【００４９】
貯水容器Ｂｕの上部は、固定搾液ローラＲｆと移動搾液ローラＲｍの間を含む貯水容器Ｂｕの上部を開口する開口部Ｃｖ１を備えたカバー体Ｃｖにより覆われている。カバー体Ｃｖの後部上面には、貯水容器Ｂｕに注水するための注水孔Ｗｉが開設されている。この例では、排水ホースＤｈ連結位置の真上に注水孔Ｗｉが設けられているが、注水孔Ｗｉからの注水と排水ホースＤｈからの排水を同時に行いつつ貯水容器Ｂｕ内でモップ等の洗浄を行う場合は、排水ホースＤｈ連結位置と注水孔Ｗｉの水平方向位置をずらすことにより注水された水が貯水容器Ｂｕ内をできるだけ循環した後で排水ホースＤｈから排水されるようにすることが好ましい。また、貯水容器Ｂｕには、持ち運びのための把手Ｈｄが設けられている。
【００５０】
(3) モップの洗浄及び搾水に使用する場合、注水孔Ｗｉを通じて、或いはカバー体Ｃｖの開口部Ｃｖ１から、貯水容器Ｂｕ内に注水した状態で、開口部Ｃｖ１における固定搾液ローラＲｆと移動搾液ローラＲｍの間を通じて貯水容器Ｂｕ内の貯留水にモップを浸してモップを洗浄した後、固定搾液ローラＲｆと移動搾液ローラＲｍの間でモップを挟圧して搾水する。
【００５１】
固定搾液ローラＲｆと移動搾液ローラＲｍの間にモップを挟圧する前の無負荷状態においては、ペダル復元ばねＢｓにより、ペダル支持部材Ｓｄの前部すなわちペダルＰｄが最上方に位置し、固定ローラ駆動リンクＬｄ及び押上部Ｓｄ１は最下方に位置する。また、第１押上リンクＬｐ１は先端部が後方へ伏倒し、第２押上リンクＬｐ２は最下方に位置しており、移動ローラ保持リンクＬｈは基端部が最下方に位置してやや前方に向かって上向きに傾斜し、間隙調整リンクＬｇは基端部が最下方に位置してやや後方に向かって上向きに傾斜している。この状態においては、移動ローラ保持リンクＬｈの先端部は後端部に位置し、移動搾液ローラＲｍは後端部（離隔位置）に位置するので、固定搾液ローラＲｆと移動搾液ローラＲｍの間は最も広く開いている。
【００５２】
モップを搾水するには、固定搾液ローラＲｆと移動搾液ローラＲｍの間にモップ（モップのできるだけ上部）を位置させた状態でペダルＰｄを踏み下げる。
【００５３】
すると、ペダル支持部材Ｓｄの前部が下降して後部が上昇する。これにより固定ローラ駆動リンクＬｄが上昇して固定ローラ駆動爪Ｃｄが押し上げられる。爪付勢ばねＰｓにより爪車Ｒｈの爪に押圧された状態で、固定ローラ駆動爪Ｃｄが爪車Ｒｈの爪に噛合する向きに移動するので、固定ローラ駆動爪Ｃｄと噛合した爪車Ｒｈが後側から上前方（図４における時計廻り）に回転駆動され、固定搾液ローラＲｆが回転する。固定搾液ローラＲｆと移動搾液ローラＲｍの間にモップを挟圧している場合、そのモップは搾液されつつ上方に送られる。
【００５４】
また、押上部Ｓｄ１により第１押上リンクＬｐ１の先端側が押し上げられ、それにより第２押上リンクＬｐ２が押し上げられることによって、間隙調整リンクＬｇ及び移動ローラ保持リンクＬｈの両基端部（屈曲点Ｂｐ）が何れも押し上げられ、移動ローラ保持リンクＬｈの先端部に支持された移動搾液ローラＲｍは支点支持スリットＳｓに案内されて前方に移動し、固定搾液ローラＲｆとの間にモップを挟圧し得るものとなる。更に、第２押上リンクＬｐ２並びに移動ローラ保持リンクＬｈ及び間隙調整リンクＬｇの基端部（屈曲点Ｂｐ）が十分に押し上げられることにより、カム支持軸Ｓｃ、移動ローラ支持軸Ｓｒ、及び屈曲点Ｂｐが直線上に位置する中立状態を経て、図６に示すように屈曲点Ｂｐが上方に位置して間隙調整リンクＬｇ及び移動ローラ保持リンクＬｈの基端部がストッパＳｐを上向きに押圧する状態となる。すなわち、間隙調整リンクＬｇと移動ローラ保持リンクＬｈは、中立状態をはさんで、屈曲点Ｂｐにおいて上方（第１の側）へ、ストッパＳｐにより規定される所定屈曲範囲内でやや屈曲した上方屈曲状態と、屈曲点Ｂｐにおいて下方（第２の側）へ大きく屈曲した下方屈曲状態をとり得る。なお、図示の押上部Ｓｄ１は平面状の上面により第１押上リンクＬｐ１の下側面を押し上げるものであるが、押上部は、ペダル支持部材Ｓｄの回動軸に平行な軸線を中心とする円筒状面（又はその一部である円弧状面）又はその他の凸曲面状の外周面とすることができ、その場合、ペダルＰｄの踏み下げによるペダル支持部材Ｓｄから第１押上リンクＬｐ１への押し上げ力の伝達を、ペダル支持部材Ｓｄの回動角度の如何にかかわらず効率的に行って第１押上リンクＬｐ１の先端側の円滑な押し上げを実現し易い。
【００５５】
間隙調整リンクＬｇ及び移動ローラ保持リンクＬｈの基端部がストッパＳｐを上向きに押圧する状態において、固定搾液ローラＲｆと移動搾液ローラＲｍ（搾液位置）の間には図５に示すように若干の間隙Ｇｐを有し、この状態でモップを挟圧する。すなわち、調整カム体Ｃａと移動搾液ローラＲｍの間で、移動ローラ保持リンクＬｈと間隙調整リンクＬｇからなる移動ローラ保持体が圧縮力を受け、その反力によりモップを移動搾液ローラＲｍと固定搾液ローラＲｆの間に挟圧するものである。第２押上リンクＬｐ２による屈曲点Ｂｐに対する押上力が解除されても、中立状態へ戻ろうとすると間隙Ｇｐが狭くなるので、挟圧しているモップによって、中立状態及び開放状態に戻ることが防がれ、移動ローラ復帰ばねＲｓにより発生する復帰力にかかわらず、モップを挟圧した上方屈曲状態が維持される（搾液位置保持機構）。この上方屈曲が大きくなりすぎるとモップの挟圧が解除されてしまうので、ストッパＳｐにより上方屈曲を制限している。この間隙Ｇｐは、カム操作部Ｃｈを回動させてカム支持孔Ｈｃの後部側に面する調整カム体Ｃａの外周面を変更することにより調整することができる。カム保持ばねＰｕによって、調整カム体Ｃａの外周面がカム支持孔Ｈｃの後部側に押圧保持されるため、間隙Ｇｐが確実に調整される。
【００５６】
中立状態においても間隙Ｇｐは実質上０以上である。そのため、固定搾液ローラＲｆと移動搾液ローラＲｍの間に何も挟んでいない場合、第２押上リンクＬｐ２による屈曲点Ｂｐに対する押上力が解除されると、間隙調整リンクＬｇ及び移動ローラ保持リンクＬｈは、移動ローラ復帰ばねＲｓにより発生する復帰力により（或いはその復帰力並びに間隙調整リンクＬｇ及び移動ローラ保持リンクＬｈの自重及び第１押上リンクＬｐ１及び第２押上リンクＬｐ２の重量による下方向引き下げ力により）中立状態を経て下方屈曲状態に戻ることになる。なお、搾液位置の保持は、解除操作によって保持解除を行い得る搾液位置保持機構により行うこともできる。
【００５７】
ペダルＰｄに対する踏み下げを解除すると、ペダル復元ばねＢｓによりペダル支持部材Ｓｄの前部すなわちペダルＰｄが最上方に復帰し、固定ローラ駆動リンクＬｄ及び押上部Ｓｄ１は最下方に下降する。それに伴い固定ローラ駆動爪Ｃｄは後下方に移動する。固定ローラ駆動爪Ｃｄは爪車Ｒｈの爪に噛合しない向きに移動するので、爪車Ｒｈは回転駆動されず、固定搾液ローラＲｆは回転しない。押上部Ｓｄ１の下降により、第１押上リンクＬｐ１及び第２押上リンクＬｐ２による屈曲点Ｂｐに対する押上力が解除されるが、間隙調整リンクＬｇ及び移動ローラ保持リンクＬｈは、上方屈曲状態、すなわち移動搾液ローラＲｍが固定搾液ローラＲｆとの間にモップを挟圧した状態が維持される。従って、第１押上リンクＬｐ１及び第２押上リンクＬｐ２は、図８に示されるように、押上部Ｓｄにより押し上げられている状態（図６）と同じ状態が継続する。
【００５８】
ペダルＰｄを再度踏み下げると、固定ローラ駆動リンクＬｄが上昇して固定ローラ駆動爪Ｃｄが押し上げられ、爪車Ｒｈが後側から上前方に回転駆動されて固定搾液ローラＲｆが回転し、移動搾液ローラＲｍとの間に挟圧しているモップは搾液されつつ更に上方に送られる。モップが移動搾液ローラＲｍと固定搾液ローラＲｆの間から上方へ抜け出るまでペダルＰｄを踏み下げることにより（或いは、必要回数踏み下げを繰り返すことにより）モップが上方へ抜け出た後、ペダルＰｄに対する踏み下げを解除して第２押上リンクＬｐ２による屈曲点Ｂｐに対する押上力を解除することにより、間隙調整リンクＬｇ及び移動ローラ保持リンクＬｈは中立状態を経て下方屈曲状態に戻り、第１押上リンクＬｐ１は先端部が後方へ伏倒し、第２押上リンクＬｐ２は最下方に復帰することになる。
【００５９】
なお、この搾水装置は、モップを水に浸漬したり洗ったりせずに搾水のみに用いることも勿論できる。また、以上の説明は、多数の紐状物を集成してなるモップを水洗搾水する装置に関するものであるが、勿論本発明はこれに限定されるものではなく、その他のモップ及び他の搾液対象物、並びに、水以外の液体、例えばワックスや洗剤液にも適用し得る。
【図面の簡単な説明】
【００６０】
【図１】使用前の状態を示す斜視図である。
【図２】作動機構についての斜視図である。
【図３】使用前の状態を示す平面図である。
【図４】使用前の状態を示す左側面図である。
【図５】固定ローラと移動ローラの間にモップを挿入してペダルを踏み下げることにより搾水を行う状態を示す平面図である。
【図６】固定ローラと移動ローラの間にモップを挿入してペダルを踏み下げることにより搾水を行う状態を示す左側面図である。
【図７】固定ローラと移動ローラの間にモップを挟圧した状態でペダルが上方に復帰した状態を示す平面図である。
【図８】固定ローラと移動ローラの間にモップを挟圧した状態でペダルが上方に復帰した状態を示す左側面図である。
【符号の説明】
【００６１】
Ｂｕ    貯水容器
Ｗｉ    注水孔
Ｄｈ    排水ホース
Ｃｖ    カバー体
Ｃｖ１  開口部
Ｈｄ    把手
Ｆｂ    ベースフレーム
Ｆｂ１  上方突部
Ｐｄ    ペダル
Ｓｄ    ペダル支持部材
Ｓｄ１  押上部
Ｂｓ    ペダル復元ばね
Ｆｒ    ローラ支持枠
Ｈｃ    カム支持孔
Ｓｓ    支点支持スリット
Ｒｍ    移動搾液ローラ
Ｓｒ    移動ローラ支持軸
Ｌｈ    移動ローラ保持リンク
Ｌｇ    間隙調整リンク
Ｒｓ    移動ローラ復帰ばね
Ｓｐ    ストッパ
Ｃａ    調整カム体
Ｓｃ    カム支持軸
Ｃｈ    カム操作部
Ｐｕ    カム保持ばね
Ｌｐ１  第１押上リンク
Ｌｐ２  第２押上リンク
Ｒｆ    固定搾液ローラ
Ｒｈ    爪車
Ｌｄ    固定ローラ駆動リンク
Ｃｄ    固定ローラ駆動爪
Ｐｓ    爪付勢ばね
Ｌｃ    固定ローラ連繋リンク
Ｂｐ    屈曲点
Ｇｐ    間隙
【図１】
2005176979.tif 000003
【図２】
2005176979.tif 000004
【図３】
2005176979.tif 000005
【図４】
2005176979.tif 000006
【図５】
2005176979.tif 000007
【図６】
2005176979.tif 000008
【図７】
2005176979.tif 000009
【図８】
2005176979.tif 000010